(57)【要約】【課題】調湿・消臭・吸着機能を付与すべく紙基材に珪藻土成分を含浸させた比較的コストが安価で、優れた調湿・消臭・吸着効果を得ることができる機能性シート材およびこれを用いた機能性ボード材の提供。【解決手段】調湿・消臭・吸着機能を付与すべく、和紙１３や洋紙やシート状パルプからなる紙基材１２に珪藻土成分２２を含浸させて機能性シート材１１を形成した。また、これらの機能性シート材１１を貼り合わせることで機能性積層シート材を形成することもできる。【選択図】図１
0003140132.tif 000002
【実用新案登録請求の範囲】
【請求項１】
調湿・消臭・吸着機能を付与すべく紙基材に珪藻土成分を含浸させたことを特徴とする機能性シート材。
【請求項２】
前記紙基材は、和紙である請求項１に記載の機能性シート材。
【請求項３】
前記紙基材は、洋紙である請求項１に記載の機能性シート材。
【請求項４】
前記紙基材は、シート状パルプである請求項１に記載の機能性シート材。
【請求項５】
請求項２に記載の機能性シート材と請求項３に記載の機能性シート材とを接合して一体化したことを特徴とする機能性積層シート材。
【請求項６】
請求項３に記載の機能性シート材を複数枚重ねに接合して一体化したことを特徴とする機能性積層シート材。
【請求項７】
請求項４に記載の機能性シート材のいずれか一方の面のみに請求項２に記載の機能性シート材または請求項３に記載の機能性シート材を接合して一体化したことを特徴とする機能性積層シート材。
【請求項８】
請求項４に記載の機能性シート材の一側表面には請求項２に記載の機能性シート材を、他側表面には請求項３に記載の機能性シート材をそれぞれ接合して一体化したことを特徴とする機能性積層シート材。
【請求項９】
請求項４に記載の機能性シート材の両面に請求項３に記載の機能性シート材を接合して一体化したことを特徴とする機能性積層シート材。
【考案の詳細な説明】
【技術分野】
【０００１】
本考案は、障子や唐紙を含む汎用性のある用途に用いられる紙基材をベースとし、該紙基材に珪藻土成分を含浸させることで調湿・消臭・吸着機能を付与した機能性シート材および機能性積層シート材に関する技術である。
【背景技術】
【０００２】
紙を基材シートとして適宜の樹脂系成分を含浸させたものとしては、例えば下記特許文献１に開示されている化粧シートがある。該化粧シートは、住宅等の建築物の内装材等の表面化粧材と使用されるものであり、ＮＢＲラテックス系樹脂を紙に含浸させることで、火災時や焼却処分時等の燃焼時に、塩化水素等の有毒ガスやダイオキシン等の猛毒物質を発生させないようにして形成されている。
【特許文献１】特開２００１−１９１４５５号公報
【０００３】
一方、人が居住する生活空間等は、より健康的で快適に暮らせるようにする観点から、例えば床や天井に天然木を使用したり、壁材に珪藻土成分を含ませて壁を形成するなどして、アレルギー対策や調湿対策が施されるようになってきている。
【考案の開示】
【考案が解決しようとする課題】
【０００４】
しかし、上記特許文献１に開示されている化粧シートは、天然素材ではないことから、化学物質過敏症の人にとってはアレルギー発生の一因ともなりかねない問題があった。
【０００５】
また、生活空間を天然素材を用いて確保する場合には、優れた調湿効果や吸着効果が得られるものの、大幅なコスト増を招くという不具合があった。
【０００６】
本考案は、従来技術にみられた上記課題に鑑み、比較的コストが安価で、優れた調湿・消臭・吸着効果を得ることができる機能性シート材および機能性積層シート材を提供することを目的とする。
【課題を解決するための手段】
【０００７】
本考案は、上記目的を達成すべくなされたものであり、そのうちの第１の考案（機能性シート材）は、調湿・消臭・吸着機能を付与すべく紙基材に珪藻土成分を含浸させたことを最も主要な特徴とする。この場合、前記紙基材は、和紙と洋紙とシート状パルプとのいずれであってもよい。
【０００８】
第２の考案（機能性積層シート材）は、請求項２に記載の機能性シート材と請求項３に記載の機能性シート材とを接合して一体化したことを最も主要な特徴とする。
【０００９】
第３の考案（機能性積層シート材）は、請求項３に記載の機能性シート材を複数枚重ねに接合して一体化したことを最も主要な特徴とする。
【００１０】
第４の考案（機能性積層シート材）は、請求項４に記載の機能性シート材の両面に請求項３に記載の機能性シート材を接合して一体化したことを最も主要な特徴とする。
【００１１】
第５の考案（機能性積層シート材）は、請求項４に記載の機能性シート材のいずれか一方の面のみに請求項２に記載の機能性シート材または請求項３に記載の機能性シート材を接合して一体化したことを最も主要な特徴とする。
【００１２】
第６の考案（機能性積層シート材）は、請求項４に記載の機能性シート材の一側表面には請求項２に記載の機能性シート材を、他側表面には請求項３に記載の機能性シート材をそれぞれ接合して一体化したことを最も主要な特徴とする。
【００１３】
第７の考案（機能性積層シート材）は、請求項４に記載の機能性シート材の両面に請求項３に記載の機能性シート材を接合して一体化したことを最も主要な特徴とする。
【考案の効果】
【００１４】
請求項１に係る考案（第１の考案）によれば、特に電気等の他のエネルギーを用いることなく、素材自体に調湿・消臭・吸着機能を備えさせた機能性シート材として各種分野の基礎素材向けに提供することができる。この場合、紙基材が和紙であれば、和室などのような和風居住空間によく適合する障子紙などとして提供することができる。また、紙基材が洋紙であれば、和紙に比較してコストをより低減することができるほか、洋室などのような洋風居住空間によく適合する壁紙などとして提供することができる。さらに、紙基材がシート状パルプであれば、比較的厚さが厚いことからより多く珪藻土成分を含浸させて機能性の向上を図ることができる。
【００１５】
請求項５に係る考案（第２の考案）によれば、機能性シート材の一方の面を和紙タイプとし、他方の面を洋紙タイプとして用いることができるので、和紙の使用量をそれだけ少なくしてコストダウンを図るなかで２層構造による機能性の向上を図ることができるほか、隣り合う和室と洋室とを仕切る襖紙などのように、和洋折衷パターンのもとで好適に使用することができる。
【００１６】
請求項６に係る考案（第３の考案）によれば、洋紙からなる機能性シート材が複数枚重ねとなって一体的に接合されているので、和紙を使用しないでコスト低減を図りながら複層構造のもとで機能性を向上させることもできる。
【００１７】
請求項７に係る考案（第４の考案）によれば、シート状パルプからなる機能性シート材のいずれか一方の面にみに和紙または洋紙からなる機能性シート材が一体的に接合されているので、単層構造のものに比べてより優れた機能性を発揮させることができる。
【００１８】
請求項８に係る考案（第５の考案）によれば、シート状パルプからなる機能性シート材の一側表面には和紙からなる機能性シート材が、他側表面には洋紙からなる機能性シート材が一体的に接合されているので、三層構造のもとでより優れた機能性を発揮させることができるほか、例えば標本箱などのようにある程度の強度が必要な収納ボックスなどに調湿・消臭・吸着機能を付与して好適に使用することができる。
【００１９】
請求項９に係る考案（第６の考案）によれば、シート状パルプからなる機能性シート材の両面に洋紙からなる機能性シート材が一体的に接合されているので、和紙を使用しないことでコストダウンを図るなかで、三層構造による機能性の発揮をも実現することができる。
【考案を実施するための最良の形態】
【００２０】
図１は、本考案のうち、第１の考案を和紙に適用した際の断面構造例を、図２は、第１の考案を洋紙に適用した際の断面構造例を、図３は、第１の考案をパルプ紙に適用した際の断面構造例をそれぞれ拡大して示す説明図である。このうち、図１によれば、機能性シート材１１は、調湿・消臭・吸着機能を付与すべく紙基材１２である和紙１３に珪藻土成分２２を含浸させて形成されている。
【００２１】
この場合、珪藻土成分２２は、吸放湿性に富む調湿効果やアンモニアなどの深いな臭いを分解する消臭効果のほか、化学物質の吸着性をも備える珪藻土を微粉末化することで形成されている。
【００２２】
また、珪藻土の微粉末としては、例えば略１５０〜２５０μｍ程度の微細な粒子で構成されているものを好適に用いることができる。
【００２３】
和紙１３は、手漉きで製造されたものが望ましいが、工業的に製造されるものであってもよい。そして、和紙１３は、乾燥後もしくは半乾燥時に保形のためにレーヨン紙で挟み込んだ上で、珪藻土粉末を混ぜた水液中に略２０時間前後浸すことで、珪藻土成分２２を含浸させた後、これを乾燥させることで例えば厚さ０．３〜１．２ｍｍ程度の機能性シート材１１を得ることができる。
【００２４】
また、図２によれば、機能性シート材１１は、調湿・消臭・吸着機能を付与すべく紙基材１２である洋紙１４に和紙１３に含浸させたものと同じ珪藻土成分２２を含浸させて形成されている。
【００２５】
洋紙１４は、工業的に製造されたものが用いられ、乾燥後に保形のためにレーヨン紙で挟み込んだ上で、珪藻土粉末を混ぜた水液中に略２０時間前後浸すことで、珪藻土成分２２を含浸させた後、これを乾燥させることで例えば厚さ０．２〜１ｍｍ程度の機能性シート材１１を得ることができる。
【００２６】
さらに、図３によれば、機能性シート材１１は、調湿・消臭・吸着機能を付与すべく紙基材１２であるシート状パルプ１５に和紙１３に含浸させたものと同じ珪藻土成分２２を含浸させて形成されている。
【００２７】
シート状パルプ１５は、工業的に製造されたものが用いられ、乾燥後に保形のためにレーヨン紙で挟み込んだ上で、珪藻土粉末を混ぜた水液中に略２０時間前後浸すことで、珪藻土成分２２を含浸させた後、これを乾燥させることで例えば厚さ１〜８ｍｍ程度の機能性シート材１１を得ることができる。なお、本明細書中の「シート状パルプ」とは、機械的・化学的な処理を経て洋紙が作られる前の、木材をほぐすことによって得られる繊維の集合をシート状に固化させたものを意味するものとして用いている。
【００２８】
図４は、第２の考案についての断面構造例を拡大して示す説明図であり、機能性積層シート材３１は、和紙１３を紙基材１２とする機能性シート材１１と、洋紙１４を紙基材１２とする機能性シート材１１とを接合して一体化することで形成されている。
【００２９】
この場合における和紙１３を用いた機能性シート材１１と洋紙１４を用いた機能性シート材１１との接合は、一方の機能性シート材１１と他方の機能性シート材１１とを水液に正麩糊を混ぜた溶液中に個別にレーヨン紙で挟み込んだ上で、略２０時間前後浸した後に取り出し、相互を貼り合わせて乾燥させることで得ることができる。乾燥工程は、天日干しした後に約３０〜４０秒間熱プレスをかけてしわ伸ばしして行う。
【００３０】
第３の考案に係る機能性積層シート材３１は、図示は省略してあるが、洋紙１４を紙基材１２とする２枚以上の機能性シート材１１を水液に正麩糊を混ぜた溶液中に個別にレーヨン紙で挟み込んだ上で、略２０時間前後浸した後に取り出し、しかる後に相互を貼り合わせて乾燥させることで得ることができる。乾燥工程は、天日干しした後に約３０〜４０秒間熱プレスをかけてしわ伸ばしして行う。この場合における機能性積層シート材３１は、２層構造を含む多層構造として形成することができる。
【００３１】
一方、図５は、第４の考案についての断面構造例を拡大して示す説明図であり、機能性積層シート材３１は、シート状パルプ１５からなる機能性シート材１１のいずれか一方の面、図示例では上面に位置する一側表面１５ａのみに和紙１４からなる機能性シート材１１を接合して一体化することで形成されている。なお、機能性積層シート材３１は、和紙１４からなる機能性シート材１１に代えて洋紙１４からなる機能性シート材１１を用いて形成することもできる。
【００３２】
この場合におけるシート状パルプ１５を用いた機能性シート材１１と和紙１３または洋紙１４を用いた機能性シート材１１との接合は、一方の機能性シート材１１と他方の機能性シート材１１とを水液に正麩糊を混ぜた溶液中に個別にレーヨン紙で挟み込んだ上で、略２０時間前後浸した後に取り出し、相互を貼り合わせて乾燥させることで得ることができる。乾燥工程は、天日干しした後に約３０〜４０秒間熱プレスをかけてしわ伸ばしして行う。
【００３３】
図６は、第６の考案についての断面構造例を拡大して示す説明図であり、機能性積層シート材３１は、シート状パルプ１５からなる機能性シート材１１の一側表面１５ａに和紙１３からなる機能性シート材１１を、他側表面１５ｂに洋紙１４からなる機能性シート材１１を各別に接合・一体化させることで形成されている。
【００３４】
この場合におけるシート状パルプ１５を用いた機能性シート材１１と和紙１３を用いた機能性シート材１１と洋紙１４を用いた機能性シート材１１との接合は、各機能性シート材１１を水液に正麩糊を混ぜた溶液中に個別にレーヨン紙で挟み込んだ上で、略２０時間前後浸した後に取り出し、３層構造となるように貼り合わせて乾燥させることで得ることができる。乾燥工程は、天日干しした後に約３０〜４０秒間熱プレスをかけてしわ伸ばしして行う。
【００３５】
第７の考案に係る機能性積層シート材３１は、図示は省略してあるが、シート状パルプ１５からなる機能性シート材１１の一側表面１５ａと他側表面１５ｂとの双方に洋紙１４からなる機能性シート材１１を各別に接合・一体化させることで形成されている。
【００３６】
この場合におけるシート状パルプ１５を用いた機能性シート材１１と洋紙１４を用いた２枚の機能性シート材１１との接合は、各機能性シート材１１を水液に正麩糊を混ぜた溶液中に個別にレーヨン紙で挟み込んだ上で、略２０時間前後浸した後に取り出し、３層構造となるように貼り合わせて乾燥させることで得ることができる。乾燥工程は、天日干しした後に約３０〜４０秒間熱プレスをかけてしわ伸ばしして行う。
【００３７】
このため、本考案によれば、各機能性シート材１１と各機能性積層シート材３１のいずれに対しても、含浸させた珪藻土成分２２によりもたらされる調湿・消臭・吸着機能を付与することができることになる。
【００３８】
したがって、機能性シート材１１は、障子や唐紙のほか、照明灯の光を和らげるカバーなどとして快適に使用することができる。
【００３９】
また、機能性積層シート材３１は、ある程度の強度を保持させながら調湿・消臭・吸着機能に富むカーテンや、車中などの閉所空間内の消臭装飾シートなどとして好適に使用することができる。
【００４０】
さらに、３層構造の機能性積層シート材３１は、比較的強い強度が要求される箱類、例えば生鮮食品を鮮度を保ちながら運搬するされる荷箱や、展示物を調湿しながら展示する標本箱などに好適に使用することができる。
【００４１】
以上は、図示例に基づいて本考案を説明したものであり、その具体的な内容は、これに限定されるものではない。例えば、機能性積層シート３１は、洋紙１３を３枚以上重ね合わせて多層構造として形成することもできる。また、紙基材１２が和紙１３である場合は、手漉きなどで紙を漉き込む際に珪藻土成分２２を併せて漉き込むことにより、機能性シート材１１を形成することもできる。さらに、機能性シート材１１は、そのサイズや厚さを所望に応じて適宜選定することができるほか、その色彩も所望に応じた色を付すことでカラーシートとして用いることができる。
【図面の簡単な説明】
【００４２】
【図１】第１の考案を和紙に適用した際の断面構造例を拡大して示す説明図。
【図２】第１の考案を洋紙に適用した際の断面構造例を拡大して示す説明図。
【図３】第１の考案をシート状パルプに適用した際の断面構造例を拡大して示す説明図。
【図４】第２の考案についての断面構造例を拡大して示す説明図。
【図５】第４の考案についての断面構造例を拡大して示す説明図。
【図６】第５の考案についての断面構造例を拡大して示す説明図。
【符号の説明】
【００４３】
１１  機能性シート材
１２  紙基材
１３  和紙
１４  洋紙
１５シート状パルプ
１５ａ  一側表面
１５ｂ  他側表面
２２  珪藻土成分
３１  機能性積層シート材
【図１】
0003140132.tif 000003
【図２】
0003140132.tif 000004
【図３】
0003140132.tif 000005
【図４】
0003140132.tif 000006
【図５】
0003140132.tif 000007
【図６】
0003140132.tif 000008